【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
撮像レンズと、
前記撮像レンズの像側に配置されてソフトフォーカス効果を与えるソフトフォーカス光学系とを含むレンズ装置であって、
前記ソフトフォーカス光学系は、
１枚の負レンズと１枚の正レンズから構成され、
該ソフトフォーカス光学系の拡大倍率をＢとしたとき、
０．９５０＜Ｂ＜１．０５０
なる条件式を満たし、
前記１枚の負レンズの焦点距離をｆｎ、前記１枚の正レンズの焦点距離をｆｐ、前記撮像レンズの最大像高をＹとするとき、
｜（２Ｙ）２／（ｆｎ×ｆｐ）｜≦０．００５
なる条件式、または、
０．００５＜｜（２Ｙ）２／（ｆｎ×ｆｐ）｜
ｆｎ／ｆｐ＜−０．７５０
なる条件式を満たすことを特徴とするレンズ装置。
【請求項２】
前記撮像レンズの、無限遠合焦状態でのｄ線における光線比率１０割の球面収差量をＳＡ、撮像レンズのＦナンバーをＦｎｏとしたとき、前記撮像レンズは、
｜ＳＡ｜／（２Ｙ×Ｆｎｏ）＜４．０００×１０−３
なる条件式を満たすことを特徴とする請求項１に記載のレンズ装置。
【請求項３】
前記撮像レンズは、単焦点レンズであることを特徴とする請求項１又は２に記載のレンズ装置。
【請求項４】
前記正レンズの物体側の面の曲率半径をｒｐ１、前記正レンズの像側の面の曲率半径をｒｐ２、前記負レンズの物体側の面の曲率半径をｒｎ１、前記負レンズの像側の面の曲率半径をｒｎ２としたとき、
｜（２Ｙ）２／（ｆｎ×ｆｐ）｜≦０．００５
なる前記条件式を満たす場合、
２．５＜｜ＳＦｎ｜
２．５＜｜ＳＦｐ｜
なる前記条件式を満たし、ただし、ＳＦｎおよびＳＦｐは、
ＳＦｎ＝（ｒｎ１＋ｒｎ２）／（ｒｎ１−ｒｎ２）
ＳＦｐ＝（ｒｐ１＋ｒｐ２）／（ｒｐ１−ｒｐ２）
なる式で表されることを特徴とする請求項１乃至３のいずれか１項に記載のレンズ装置。
【請求項５】
前記正レンズと負レンズとのうち、物体側のレンズの物体側の面の曲率半径をｒ１、像側のレンズの像側の面の曲率半径をｒ４としたとき、
０．００５＜｜（２Ｙ）２／（ｆｎ×ｆｐ）｜
なる前記条件式を満たす場合、前記曲率半径ｒ１を有する面は物体側に凸で、前記曲率半径ｒ４を有する面は、物体側に凸であり、
６．５＜｜ＳＦｎｐ｜
なる条件式を満たし、ただし、ＳＦｎｐは、
ＳＦｎｐ＝（ｒ１＋ｒ４）／（ｒ１−ｒ４）
なる式で表されることを特徴とする請求項１乃至４のいずれか１項に記載のレンズ装置。
【請求項６】
前記負レンズの材料のｄ線での屈折率をＮｎ、前記正レンズの材料のｄ線での屈折率をＮｐとしたとき、
０．７４０＜Ｎｎ／Ｎｐ＜１．３５０
なる条件式を満たすことを特徴とする請求項１乃至５のいずれか１項に記載のレンズ装置。
【請求項７】
前記負レンズと前記正レンズとは、接合レンズを構成することを特徴とする請求項１乃至６のいずれか１項に記載のレンズ装置。
【請求項８】
前記撮像レンズと一体となった状態かつ無限遠合焦状態でのｄ線における光線比率１０割の球面収差量をＳＡｓとしたとき、
−７．０００×１０−３＜（ＳＡｓ−ＳＡ）
／（２Ｙ×Ｆｎｏ）＜−０．８００×１０−３
なる条件式を満たすことを特徴とする請求項１乃至７のいずれか１項に記載のレンズ装置。
【請求項９】
前記撮像光学系の最も像側の面から前記ソフトフォーカス光学系の最も物体側の面までの光軸上の距離をＬ１、前記撮像光学系の前記最も像側の面から像面までの光軸上の距離をＬ１ｄとしたとき、
０．０００＜Ｌ１／Ｌ１ｄ＜０．５００
なる条件式を満足することを特徴とするレンズ装置。
【請求項１０】
前記撮像光学系から構成されたレンズ装置の射出瞳から像面までの光軸上の距離をＴｋ１としたとき、
−０．０３３＜１／Ｔｋ１＜−０．００９
なる条件式を満たすことを特徴とする請求項９に記載のレンズ装置。
【請求項１１】
前記ソフトフォーカス光学系は、前記撮像レンズの像側に着脱可能な構成を有することを特徴とする請求項１乃至１０のいずれか１項に記載のレンズ装置。
【請求項１２】
請求項１乃至１１のいずれか１項に記載のレンズ装置と、前記レンズ装置によって形成された像を受光する撮像素子と、を有することを特徴とする撮像装置。
【手続補正２】
【補正対象書類名】明細書
【補正対象項目名】発明の名称
【補正方法】変更
【補正の内容】
【発明の名称】レンズ装置及び撮像装置
【手続補正３】
【補正対象書類名】明細書
【補正対象項目名】０００１
【補正方法】変更
【補正の内容】
【０００１】
本発明は、レンズ装置及び撮像装置に関する。
【手続補正４】
【補正対象書類名】明細書
【補正対象項目名】００１２
【補正方法】変更
【補正の内容】
【００１２】
本発明は、例えば、シャープフォーカスレンズ装置とソフトフォーカスレンズ装置との間の光学要素の共通化に有利なレンズ装置を提供することを目的とする。
【手続補正５】
【補正対象書類名】明細書
【補正対象項目名】００１３
【補正方法】変更
【補正の内容】
【００１３】
上記目的を達成するために、本発明のレンズ装置は、撮像レンズと、前記撮像レンズの像側に配置されてソフトフォーカス効果を与えるソフトフォーカス光学系とを含むレンズ装置であって、前記ソフトフォーカス光学系は、１枚の負レンズと１枚の正レンズから構成され、該ソフトフォーカス光学系の拡大倍率をＢとしたとき、
０．９５０＜Ｂ＜１．０５０
なる条件式を満たし、前記１枚の負レンズの焦点距離をｆｎ、前記１枚の正レンズの焦点距離をｆｐ、前記撮像レンズの最大像高をＹとするとき、
｜（２Ｙ）2／（ｆｎ×ｆｐ）｜≦０．００５
なる条件式、または、
０．００５＜｜（２Ｙ）2／（ｆｎ×ｆｐ）｜
ｆｎ／ｆｐ＜−０．７５０
なる条件式を満たすことを特徴とする。
【手続補正６】
【補正対象書類名】明細書
【補正対象項目名】００１４
【補正方法】変更
【補正の内容】
【００１４】
本発明によれば、例えば、シャープフォーカスレンズ装置とソフトフォーカスレンズ装置との間の光学要素の共通化に有利なレンズ装置を提供することができる。
【手続補正７】
【補正対象書類名】明細書
【補正対象項目名】００３７
【補正方法】変更
【補正の内容】
【００３７】
本発明のソフトフォーカス光学系が撮像光学系の像側に接続されたとき、上記の条件式（１）は、撮像光学系のみからなる通常撮影レンズと、ソフトフォーカス光学系が接続されたソフトフォーカスレンズとで、全系の焦点距離が略一定であることを意味する。すなわち、撮像光学系の焦点距離をｆ１、撮像光学系にソフトフォーカス光学系が接続されたソフトフォーカスレンズの焦点距離をｆとするとき、条件式（１ｃ）を満足することと等価である。
０．９５０＜ｆ／ｆ１＜１．０５０  ・・・（１ｃ）
【手続補正８】
【補正対象書類名】明細書
【補正対象項目名】００８９
【補正方法】変更
【補正の内容】
【００８９】
図２８に実施例１４のソフトフォーカスレンズの無限遠合焦時の縦収差図を示す。図２９に実施例１４における第１レンズ群のみからなるレンズ装置の無限遠合焦時の縦収差図を示す。なお、図２９に示した実施例１４における第１レンズ群のみからなるレンズ装置の無限遠合焦時の縦収差図は、実施例１乃至７及び１０乃至１４において同様である。
本実施例の各条件式対応値を表１に示すように、本実施例は（１）、（２）、（４）〜（６）、（８）〜（１１）式を満足している。
【手続補正９】
【補正対象書類名】明細書
【補正対象項目名】００９０
【補正方法】変更
【補正の内容】
【００９０】
以下、本実施例に対応する数値実施例を示す。実施例中の非球面形状は次の式で表される。また、表１に本実施例の各条件式対応値を示す。ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）の屈折率、アッベ数を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０-Z」を意味する。
【数１】
2018205658.tif 000001
ここでＡ３乃至Ａ１２は非球面係数であり、非球面形状は光軸からの高さＨの位置における面頂点を基準とした光軸方向の変位ｘで表される。但し、Ｒは近軸曲率半径、Ｋは円錐定数である。面番号の数字の横に付した「＊」はその面が非球面であることを示す。
【手続補正１０】
【補正対象書類名】明細書
【補正対象項目名】０１０６
【補正方法】変更
【補正の内容】
【０１０６】
図３２は各実施例のソフトフォーカス光学系を使用したソフトフォーカスレンズ、またはコンバーター或いはアタッチメント光学系として用いた撮像装置（テレビカメラシステム）の概略図である。図３２において１０１は実施例１〜１４のいずれかのソフトフォーカス光学系を含むレンズ装置である。１２４はカメラ装置である。レンズ装置１０１はカメラ装置１２４に対して着脱可能となっている。１２５はカメラ装置１２４にレンズ装置１０１を装着することで構成される撮像装置である。レンズ装置１０１は第１レンズ群Ｆ、ソフトフォーカス光学系Ｒを有している。第１レンズ群Ｆは合焦用レンズ群が含まれている。ＳＰは開口絞りである。１１５は第１レンズ群Ｆ中の合焦用レンズ群を光軸方向に駆動するヘリコイドやカム等の駆動機構である。１１７、１１８は駆動機構１１５及び開口絞りＳＰを電動駆動するモータ（駆動手段）である。１２０、１２１は、第１レンズ群Ｆの光軸上の位置や、開口絞りＳＰの絞り径を検出するためのエンコーダやポテンショメータ、あるいはフォトセンサ等の検出器である。カメラ装置１２４において、１０９はカメラ装置１２４内の光学フィルタや色分解光学系に相当するガラスブロック、１１０はレンズ装置１０１によって形成された被写体像を受光するＣＣＤセンサやＣＭＯＳセンサ等の固体撮像素子（光電変換素子）である。また、１１１、１２２はカメラ装置１２４及びレンズ装置１０１の各種の駆動を制御するＣＰＵである。
【手続補正１１】
【補正対象書類名】明細書
【補正対象項目名】０１０７
【補正方法】変更
【補正の内容】
【０１０７】
このように、本発明のレンズ装置をテレビカメラに適用することにより、高い光学性能を有する撮像装置を実現している。